(57)【要約】【課題】子供用の家具は大人用と同様に、大部分は完成品として販売される。【解決手段】。部品梱包状態で運搬し、現地で梱包から取り出して組み立てるようにすれば保管、運搬等の際のスペース効率を高めることができる。構造を工夫し、子供が（親とともに）組み立てることができる、以下の構成のダンボール製の子供用家具の開発した。（１）ダンボール製の板であって他のダンボール製の板に延展部を差し込むための矩形断面の嵌入孔部持つ部材（２）ダンボール製の板であって、他のダンボール製の嵌入孔部に差し込むための開口部を持つ延展部を持つ部材（３）ダンボール製の板であって他のダンボール製の板に延展部を差し込むための矩形断面の嵌入孔部、および、他のダンボール製の嵌入孔部に差し込むための開口部を持つ延展部を持つ部材（４）延展部の開口部に挿入するストッパー【選択図】図４
2018198887.tif 000002
【特許請求の範囲】
【請求項１】
ダンボールのみで構成された、接着剤を一切使用してないリサイクル可能なキッズ用組立家具であって、当該家具は、少なくとも２枚のダンボール平板から成る相互に所望の角度を介して当接合されている直立壁部材と、当該直立壁部材の少なくとも一部に当接合される少なくとも１つの端縁部を有する少なくとも１枚のダンボール平板からなる水平棚板部とから構成されている枠体部を含んで構成されており、当該一方の直立壁部材に於ける、他方の当該直立壁部材と当接合される端縁部には、当該ダンボール平板と同一の平面を形成し、当該端縁部を超えて外方に延展され、且つ当該延展部には、ストッパー部が挿入される開口部が設けられている、少なくとも一つの突起状部が形成されており、一方、当該他方の直立壁部材に於ける、当該一方の直立壁部材に於ける当該当接合端縁部と対応する部位に、少なくとも一つの当該突起状部を嵌合せしめ得る嵌入孔部が設けられており、且つ、当該水平棚板部に於ける、当該直立壁部材の少なくとも一部と当接合される少なくとも１つの端縁部には、当該ダンボール平板と同一の平面を形成し、当該端縁部を超えて外方に延展され、且つ当該延展されている部分には、ストッパー部が挿入される開口部が設けられている、少なくとも一つの突起状部が形成されており、一方、当該直立壁部材に於ける、当該水平棚板部に於ける当該当接合端縁部と対応する部位に、少なくとも一つの当該突起状部を嵌合せしめ得る嵌入孔部が設けられており、更に、当該枠体部は、当該直立壁部材及び/又は当該水平棚板部の少なくとも一部の端縁部に形成された少なくとも一つの当該突起状部が、別の当該直立壁部材に形成された当該嵌入孔部内に、当該直立壁部材の一方の側から他方の側に突出する様に貫通挿入せしめられた後、当該直立壁部材の他方の側面に存在する当該突起状部の当該嵌入孔部内に、ダンボールで構成された所望のストッパー部が挿入されることにより当該枠体部が強固に固定されている事を特徴とするダンボールからなるリサイクル可能なキッズ用組立家具。
【請求項２】
当該直立壁部材は３枚若しくはそれ以上の枚数で構成されている事を特徴とする請求項１に記載のダンボールからなるリサイクル可能なキッズ用組立家具。
【請求項３】
当該水平棚板部は２枚若しくはそれ以上の枚数を含んで構成されている事を特徴とする請求項１又は２に記載のダンボールからなるリサイクル可能なキッズ用組立家具。
【請求項４】
当該ダンボールは、少なくともその一部に於ける、その表裏面の色彩が相互に異なっている事を特徴とする請求項１乃至３の何れかに記載のダンボールからなるリサイクル可能なキッズ用組立家具。
【請求項５】
当該枠体部の外表面に突出せしめられている複数個の当該突起状部の当該嵌入孔部内のそれぞれに、一つの共通した当該ストッパー部が嵌入固定されている事を特徴とする請求項１乃至４の何れかに記載のダンボールからなるリサイクル可能なキッズ用組立家具。
【請求項６】
当該ストッパー部は、当該突起状部の当該嵌入孔部に挿入着脱自在となる様な所望の幅を持ち且つ、長手方向に所望の長さを持つストッパー本体部と、当該ストッパー本体部の長手方向に於ける一方の端部に、当該ストッパー本体部の当該幅よりも長く設定された幅部を有するストッパー頭部とで構成されていることを特徴とする請求項１乃至５の何れかに記載のキッズ用組立家具。
【請求項７】
当該キッズ用組立家具が椅子である場合には、当該直立壁部材は少なくとも３枚又は４枚であり、当該水平棚板部は少なくとも１枚であり、且つ当該水平棚板部は座面であり、且つ当該座面には、適宜の折曲部を介して連続的に接続されている前垂れ部が形成されており、且つ当該前垂れ部の当該直立壁部材との当接合部に相当する端縁部には、少なくとも１個の当該突起状部が設けられており、更に当該前垂れ部の当該直立壁部材との当接合部に相当する当該端縁部に対応する当該直立壁部材の一部には、少なくとも一つの当該突起状部を嵌合せしめ得る嵌入孔部が設けられている事を特徴とする請求項１乃至６の何れかに記載のキッズ用組立家具。
【請求項８】
当該座面の下面で、且つ当該複数枚の直立壁部材で囲僥された空間部内に、直立状に立設された少なくとも一枚若しくは複数枚のダンボール平板が相互に交錯配置されるか、折り畳み屈折された状態で配置されている事を特徴とする請求項７に記載のキッズ用組立家具。
【請求項９】
当該キッズ用組立家具が引出具である場合には、当該直立壁部材は少なくとも３枚であり、当該水平棚板部は少なくとも２枚であり、当該複数枚の水平棚板部間に形成された空間部内に、ダンボール平板を適宜の形状に切り出し、接着剤を使用せずに立体的に組み上げた引出部が挿入・引出自在に配備されている事を特徴とする請求項１乃至６の何れかに記載のキッズ用組立家具。
【請求項１０】
当該ダンボール平板のみから成る引出部は、その底面部は１重のダンボール平板で構成されており、且つ、当該底面部の各周縁部に立設されている側壁部は、２重のダンボール平板で構成されている事を特徴とする請求項９に記載のキッズ用組立家具。
【請求項１１】
当該引出部の当該ダンボール平板からの切出し形状は、所望の矩形形状に形成された底部と当該底部の各周辺縁部から適宜の折り目線を介して当該周辺縁部に対して直交方向に外方に延展された形成されている、所望の相互に同一の幅を持った矩形状の第１乃至第４の基礎側壁部が形成されていると共に、当該個々の第１乃至第４の基礎側壁部に於ける、当該底部の各周辺縁部と対向する他方の端縁部には、それぞれ、適宜の折り目線を介して、所望の相互に微小な同一の幅を持った矩形状の第１乃至第４の間挿側壁部が連続的に形成されていると同時に、当該各間挿側壁部に於ける、当該基礎側壁部との接合端縁部とは反対側の端縁部には、別の適宜の折り目線を介して、当該基礎側壁部と相互に同一の幅を有する矩形状の第１乃至第４の補助壁部が連続的に形成されており、且つ当該各補助壁部に於ける、当該基礎側壁部との接合端縁部とは反対側の端縁部には、異なる適宜の折り目線を介して、所望の相互に同一の幅を持った第１乃至第４の固定係止片部が連続的に形成されており、然も、当該第１と第２の基礎側壁部及び当該第１と第２補助壁部のそれぞれの長手方向端縁部には、適宜の折り目線を介して、当該第１と第２の基礎側壁部及び当該第１と第２補助壁部の幅と同じ幅を有し、且つ当該第３と第４の基礎側壁部及び当該第３と第４補助壁部の幅に略等しい長さを有する矩形状若しくは山形状或いは台形状の折曲げ片部がそれぞれ連続的に形成されている事を特徴とする請求項９又は１０に記載のキッズ用組立家具。
【請求項１２】
当該折り目線は、所望の部位を、当該ダンボール平板の表面及び/又は裏面のいずれの方向にも折り曲げられるように構成されている事を特徴とする請求項１１に記載のキッズ用組立家具。
【請求項１３】
当該第１乃至第４の固定係止片部折曲げ片部少なくとも一部に於ける自由端端縁部の少なくとも一部に、当該底部面との固定係止効果を増強させる機能を有する切り欠け部が設けられている事を特徴とする請求項１１または１２に記載のキッズ用組立家具。
【請求項１４】
当該引出具に於いて使用される少なくとも一部の当該引出部に於ける、当該引出具から引き出される方向に面している当該基礎側壁部、当該間挿側壁部及び当該補助壁部の少なくとも一部に、指先引掛部が形成されている事を特徴とする請求項１１乃至１３の何れかに記載のキッズ用組立家具。
【請求項１５】
当該複数枚の直立壁部材の内で、当該引出部に於ける、当該引出具から引き出される方向に面している当該基礎側壁部、当該間挿側壁部及び当該補助壁部とは反対側に形成されている当該基礎側壁部、当該間挿側壁部及び当該補助壁部の少なくとも一つと対応する側の当該直立壁部材に於いて、当該少なくとも一つの引出部に於ける、少なくとも当該基礎側壁部と対応する部位に、当該基礎側壁部を適宜手段を使用して後押しする為の開口孔部が設けられている事を特徴とする１１乃至１４の何れかに記載のキッズ用組立家具。
【請求項１６】
当該キッズ用組立家具が引出部付き机具である場合には、当該直立壁部材は少なくとも４枚であり、当該水平棚板部は少なくとも３枚であり、当該直立壁部材の内で３枚の当該直立壁部材は、相互に所定の間隔を介して並行に且つ直立状に配置されて、当該机部と当該引出部とを分離形成しており、当該引出部空間内部に配置されている当該複数枚の水平棚板部の内の少なくとも一部の当該水平棚板部は、当該机部と当該引出部とを分離形成している当該直立壁部材と当接接合する部分に対応する側の端縁部に、当該突起状部とは別の、当該突起状部の延展方向と同一の方向に、且つ、当該机部の長さを超えて、当該机部の反対側の端部に位置する別の当該直立壁部材に迄到達するに十分な長さを持った長尺状延展突出部が形成され、更に、当該長尺状延展突出部の尖端部には、当該ストッパー部が挿入される開口部が設けられている、少なくとも一つの突起状部が連続的に形成されており、一方、当該机部と当該引出部とを分離形成している当該直立壁部材に於ける当該長尺状延展突出部と対応する部位には、当該長尺状延展突出部が貫通通過出来る貫通穴部が設けられており、一方、当該机部の反対側の端部に位置する別の当該直立壁部材には、当該長尺状延展突出部の尖端部に設けられている当該突起状部が嵌入せしめられる嵌入孔部が設けられており、更に、当該机部の下方空間部内には、ダンボール平板で構成された、当該長尺状延展突出部の支持部材が設けられており、当該支持部材は、当該長尺状延展突出部の少なくとも一部と係合する係合部と、当該３枚の直立壁部材群に対し直交状態で配置されている別の当該直立壁部材であって、当該机部空間部に対応する直立壁部材と当接接合する支持固定部とからなり、当該支持固定部に於ける当該直立壁部材と対応する端縁部には、当該ダンボール平板と同一の平面を形成し、当該端縁部を超えて外方に延展され、且つ当該延展されている部分には、ストッパー部が挿入される開口部が設けられている、少なくとも一つの突起状部が形成されており、一方、当該直立壁部材に於ける、当該支持固定部に於ける当該当接合端縁部と対応する部位に、少なくとも一つの当該突起状部を嵌合せしめ得る嵌入孔部が設けられている事を特徴とする請求項１乃至６の何れかに記載のキッズ用組立家具。
【請求項１７】
当該キッズ用組立家具が引出部付き鏡台（ドレッサー）である場合には、当該直立壁部材は少なくとも３枚であり、当該水平棚板部は少なくとも２枚であり、当該直立壁部材の内で２枚の第１と第２の当該直立壁部材は、相互に所定の間隔を介して並行に且つ直立状に配置されていると共に、残りの当該第３の直立壁部材は、当該所定の間隔を介して並行に且つ直立状に配置されている２枚の当該直立壁部材と相互に直交する様に直立状に立設接合配置されており、且つ、当該第３の直立壁部材は、当該第１と第２の直立壁部材の高さよりも上方に、延展されている、鏡を配置する為延長部が一体的連続的に形成されており、一方、少なくとも２枚の当該水平棚板部の少なくとも一方の第１の水平棚板部は、当該第１乃至第３の直立壁部材により形成されるコの字型空間内部に於いて、その周縁端部が、当該第１及び第２の直立壁部材の上方端部の近傍部において水平状態で、当該第１乃至第３の直立壁部材と接合固定されて、机面部を形成しており、当該他方の第２の水平棚板部は、当該一方の水平棚板部の水平方向と並列に、且つ当該一方の水平棚板部の下方で、当該一方の水平棚板部とは所望の間隔を介して、その周縁端部が、当該第１乃至第３の直立壁部材と接合固定されており、それによって、当該第１と第２の水平棚板部との間に所望の収納空間が形成されており、更に、当該机面部の下方空間部下方部には、当該第１及び第２の直立壁部材との間を張設する様に延展されている、当該水平棚板部の幅よりも細い幅を有する帯状のダンボール平板が当該第１及び第２の直立壁部材とに接合する様に配置せしめられて、足掛部を形成しており、且つ、当該机面部の下方空間部下方部には、ダンボール平板で構成された、当該足掛部の支持部材が設けられており、当該支持部材は、当該長尺状の足掛部の少なくとも一部と係合する係合部と、当該第３の直立壁部材と当接接合する支持固定部とからなり、当該支持固定部に於ける当該直立壁部材と対応する端縁部及び当該足掛部に於ける当該直立壁部材と対応する端縁部には、それぞれ当該ダンボール平板と同一の平面を形成し、当該端縁部を超えて外方に延展され、且つ当該延展されている部分には、ストッパー部が挿入される開口部が設けられている、少なくとも一つの突起状部が形成されており、一方、当該直立壁部材に於ける、当該支持固定部に於ける当該当接合端縁部と対応する部位に、少なくとも一つの当該突起状部を嵌合せしめ得る嵌入孔部が設けられている事を特徴とする請求項１乃至６の何れかに記載のキッズ用組立家具。
【請求項１８】
ダンボール平板から形成された当該形状に構成された複数枚の当該直立壁部材と、ダンボール平板から形成された当該形状に構成された複数枚の当該水平棚板部と、ダンボール平板から形成された当該形状に構成された複数枚のストッパー部と、要すれば、ダンボール平板から形成された当該折り畳み可能な引出部用部材、ダンボール平板から形成された補強用部材、ダンボール平板から形成された当該前垂れ部付き座部材部材及びダンボール平板から形成された当該折り畳み可能な支持部材用部材から選択された少なくとも一つの部材とが一組としてキット化されている事を特徴とする請求項１乃至１７の何れかに記載のキッズ用組立家具。
【請求項１９】
当該少なくとも一つの部材は、その実質的な形状が、ダンボール平板内に、手動にて容易に当該ダンボール平板から分離出来る様に、適宜のミシン目を介して形成されている事を特徴とする請求項１８に記載のキット化されたキッズ用組立家具。
【請求項２０】
当該複数の組み合わされた部材が、所望の箱体内に保管されている事を特徴とする請求項１８または１９に記載のキット化されたキッズ用組立家具。
【請求項２１】
当該箱体の蓋部材、底部材及び側壁面材の何れかに、当該複数種の部材の一部が適宜のミシン目を介して形成されている事を特徴とする請求項２０に記載のキット化されたキッズ用組立家具。
【請求項２２】
当該箱体の蓋部材、底部材及び側壁面材の何れかに、当該複数種の部材とは異なる付録部品の複数個の組み立て部材が適宜のミシン目を介して形成されている事を特徴とする請求項２０又は２１に記載のキット化されたキッズ用組立家具。
【請求項２３】
当該箱体は、一枚のダンボール平板から切り出した、特定の形状を持った折り畳み式の箱体部であって、所望の長さと幅を持つ矩形状の底部と、当該底部の４個の端縁部からそれぞれ、所望の折り目線を介して、当該各端縁部の長さと同一の幅で且つ、所望の同一の長さを以て外方向に延展されている側壁部と、相互に対向する一対の当該側壁部の内の一方の対に於ける双方の当該側壁部の端縁部から所望の折り目線を介して、当該側壁部の延展方向と直交する方向に延展されているフランジ部が設けられており、且つ相互に対向する一対の当該側壁部の内の他方の対に於ける双方の当該側壁部の内の一方の当該側壁部の端縁部には、適宜の折り目線を介して当該底部と同じ形状に形成された蓋部が連続して形成されており、且つ当該蓋部に於ける当該側壁部の延展方向と直交する方向に形成されている一対の端縁部の双方には、所望の折り目線を介して、当該蓋部の延展方向と直交する方向に、当該側壁部の高さに略近似した長さを以て外方向に延展されている側壁支持片部が設けられており、更に当該蓋部の延展方向に形成されている端縁部の一部に、所望の折り目線を介して、当該蓋部の延展方向に当該側壁部の高さよりも若干短い長さを以て外方向に延展せしめられている差込み係止片部が設けられており、一方、相互に対向する一対の当該側壁部の内の他方の対に於ける双方の当該側壁部の内の他方の当該側壁部の端縁部には、適宜の折り目線を介して、所望の微小な幅を持った矩形状の間挿側壁部が連続的に形成されていると同時に、当該間挿側壁部に於ける、当該側壁部との接合端縁部とは反対側の端縁部には、別の適宜の折り目線を介して、当該間挿側壁部の幅と同一の幅を有し且つ当該側壁部の高さと略同一の長さを以て、当該間挿側壁部の外方向に向けて延展されている側壁支持片部が設けられており、当該間挿側壁部に於ける当該差込み係止片部と対応する部分には、当該差込み係止片部が差し込み嵌入しえる開口スリット部が設けられると同時に、当該間挿側壁部が連結されている当該側壁部の略中央部に所定の間隔を介して設けられている２つの開孔窓部と、当該開口スリット部に近接し、且つ当該開口スリット部に連通している少なくとも１つの切欠け部とが設けられている事を特徴とする請求項２０乃至２２の何れかに記載のキッズ用組立家具部材を収納する箱体部。
【発明の詳細な説明】
【技術分野】
【０００１】
本発明は椅子等のダンボール製組立式家具に関し、更に詳しくは、子供を対象としたリサイクル可能なダンボール製組立式家具に関する。
【背景技術】
【０００２】
子供用の家具は大人用と同様に、木製、プラスチック製、または金属製が主である。また、これらの家具は大部分は完成品として、販売、購入される。これに対して組立式家具は部品点数が比較的少なく簡易な構成であるが、組み立てた状態で保管、運搬等を行うとスペース効率が悪くなる。なお、ダンボールを家具に用いる技術はいくつか開示されているが、いずれも、一部にのみダンボールを使用するものである。
【先行技術文献】
【特許文献】
【０００３】
【特許文献１】特開２０１５−１３９６３３号公報
【発明の概要】
【発明が解決しようとする課題】
【０００４】
部品梱包状態で運搬し、現地で梱包から取り出して組み立てるようにすれば保管、運搬等の際のスペース効率を高めることができる。これに加えて、構造を工夫し、子供が（親とともに）組み立てることができる、ダンボール製の子供用家具の開発を目的とした。  従って本考案の目的は、上記した従来技術の欠陥を改良し、簡易な構成でありながら、優れたダンボールからなるリサイクル可能なキッズ用組立家具を提供するものである。
【課題を解決するための手段】
【０００５】
本発明は、上記のような目的を達成するため、基本的には、以下に示す様な技術構成を採用するものである。
第１の発明は、ダンボールのみで構成された、接着剤を一切使用してないリサイクル可能なキッズ用組立家具であって、当該家具は、少なくとも２枚のダンボール平板から成る相互に所望の角度を介して当接合されている直立壁部材と、当該直立壁部材の少なくとも一部に当接合される少なくとも１つの端縁部を有する少なくとも１枚のダンボール平板からなる水平棚板部とから構成されている枠体部を含んで構成されており、当該一方の直立壁部材に於ける、他方の当該直立壁部材と当接合される端縁部には、当該ダンボール平板と同一の平面を形成し、当該端縁部を超えて外方に延展され、且つ当該延展部には、ストッパー部が挿入される開口部が設けられている、少なくとも一つの突起状部が形成されており、一方、当該他方の直立壁部材に於ける、当該一方の直立壁部材に於ける当該当接合端縁部と対応する部位に、少なくとも一つの当該突起状部を嵌合せしめ得る嵌入孔部が設けられており、且つ、当該水平棚板部に於ける、当該直立壁部材の少なくとも一部と当接合される少なくとも１つの端縁部には、当該ダンボール平板と同一の平面を形成し、当該端縁部を超えて外方に延展され、且つ当該延展されている部分には、ストッパー部が挿入される開口部が設けられている、少なくとも一つの突起状部が形成されており、一方、当該直立壁部材に於ける、当該水平棚板部に於ける当該当接合端縁部と対応する部位に、少なくとも一つの当該突起状部を嵌合せしめ得る嵌入孔部が設けられており、更に、当該枠体部は、当該直立壁部材及び/又は当該水平棚板部の少なくとも一部の端縁部に形成された少なくとも一つの当該突起状部が、別の当該直立壁部材に形成された当該嵌入孔部内に、当該直立壁部材の一方の側から他方の側に突出する様に貫通挿入せしめられた後、当該直立壁部材の他方の側面に存在する当該突起状部の当該嵌入孔部内に、ダンボールで構成された所望のストッパー部が挿入されることにより当該枠体部が強固に固定されている事を特徴とするダンボールからなるリサイクル可能なキッズ用組立家具である。
【０００６】
第２の発明は、  第１の発明において、当該直立壁部材は３枚若しくはそれ以上の枚数で構成されている事を特徴とするダンボールからなるリサイクル可能なキッズ用組立家具である。
【０００７】
第３の発明は、  第１、または、第２の発明において、  当該水平棚板部は２枚若しくはそれ以上の枚数を含んで構成されている事を特徴とする請求項１又は２に記載のダンボールからなるリサイクル可能なキッズ用組立家具である。
【０００８】
第４の発明は、  第１から第３のいずれかの発明において、  当該ダンボールは、少なくともその一部に於ける、その表裏面の色彩が相互に異なっている事を特徴とするダンボールからなるリサイクル可能なキッズ用組立家具である。
【０００９】
第５の発明は、  第１から第４のいずれかの発明において、  当該枠体部の外表面に突出せしめられている複数個の当該突起状部の当該嵌入孔部内のそれぞれに、一つの共通した当該ストッパー部が嵌入固定されている事を特徴とするダンボールからなるリサイクル可能なキッズ用組立家具である。
【００１０】
第６の発明は、  第１から第５のいずれかの発明において、  当該ストッパー部は、当該突起状部の当該嵌入孔部に挿入着脱自在となる様な所望の幅を持ち且つ、長手方向に所望の長さを持つストッパー本体部と、当該ストッパー本体部の長手方向に於ける一方の端部に、当該ストッパー本体部の当該幅よりも長く設定された幅部を有するストッパー頭部とで構成されていることを特徴とする請求項１乃至５の何れかに記載のリサイクル可能なキッズ用組立家具である。
【００１１】
第７の発明は、  第１から第６のいずれかの発明において、  当該キッズ用組立家具が椅子である場合には、当該直立壁部材は少なくとも３枚又は４枚であり、当該水平棚板部は少なくとも１枚であり、且つ当該水平棚板部は座面であり、且つ当該座面には、適宜の折曲部を介して連続的に接続されている前垂れ部が形成されており、且つ当該前垂れ部の当該直立壁部材との当接合部に相当する端縁部には、少なくとも１個の当該突起状部が設けられており、更に当該前垂れ部の当該直立壁部材との当接合部に相当する当該端縁部に対応する当該直立壁部材の一部には、少なくとも一つの当該突起状部を嵌合せしめ得る嵌入孔部が設けられている事を特徴とするサイクル可能なキッズ用組立家具である。
【００１２】
第８の発明は、  第７の発明において、  当該座面の下面で、且つ当該複数枚の直立壁部材で囲僥された空間部内に、直立状に立設された少なくとも一枚若しくは複数枚のダンボール平板が相互に交錯配置されるか、折り畳み屈折された状態で配置されている事を特徴とするサイクル可能なキッズ用組立家具である。
【００１３】
第９の発明は、  第１から第６のいずれかの発明において、当該キッズ用組立家具が引出具である場合には、当該直立壁部材は少なくとも３枚であり、当該水平棚板部は少なくとも２枚であり、当該複数枚の水平棚板部間に形成された空間部内に、ダンボール平板を適宜の形状に切り出し、接着剤を使用せずに立体的に組み上げた引出部が挿入・引出自在に配備されている事を特徴とするリサイクル可能なサイクル可能なキッズ用組立家具である。
【００１４】
第１０の発明は、  第９の発明において、当該ダンボール平板のみから成る引出部は、その底面部は１重のダンボール平板で構成されており、且つ、当該底面部の各周縁部に立設されている側壁部は、２重のダンボール平板で構成されている事を特徴とするリサイクル可能なキッズ用組立家具である。
【００１５】
第１１の発明は、  第９、または、第１０の発明において、当該引出部の当該ダンボール平板からの切出し形状は、所望の矩形形状に形成された底部と当該底部の各周辺縁部から適宜の折り目線を介して当該周辺縁部に対して直交方向に外方に延展された形成されている、所望の相互に同一の幅を持った矩形状の第１乃至第４の基礎側壁部が形成されていると共に、当該個々の第１乃至第４の基礎側壁部に於ける、当該底部の各周辺縁部と対向する他方の端縁部には、それぞれ、適宜の折り目線を介して、所望の相互に微小な同一の幅を持った矩形状の第１乃至第４の間挿側壁部が連続的に形成されていると同時に、当該各間挿側壁部に於ける、当該基礎側壁部との接合端縁部とは反対側の端縁部には、別の適宜の折り目線を介して、当該基礎側壁部と相互に同一の幅を有する矩形状の第１乃至第４の補助壁部が連続的に形成されており、且つ当該各補助壁部に於ける、当該基礎側壁部との接合端縁部とは反対側の端縁部には、異なる適宜の折り目線を介して、所望の相互に同一の幅を持った第１乃至第４の固定係止片部が連続的に形成されており、然も、当該第１と第２の基礎側壁部及び当該第１と第２補助壁部のそれぞれの長手方向端縁部には、適宜の折り目線を介して、当該第１と第２の基礎側壁部及び当該第１と第２補助壁部の幅と同じ幅を有し、且つ当該第３と第４の基礎側壁部及び当該第３と第４補助壁部の幅に略等しい長さを有する矩形状若しくは山形状或いは台形状の折曲げ片部がそれぞれ連続的に形成されている事を特徴とするリサイクル可能なキッズ用組立家具である。
【００１６】
第１２の発明は、  第１１の発明において、  当該折り目線は、所望の部位を、当該ダンボール平板の表面及び/又は裏面のいずれの方向にも折り曲げられるように構成されている事を特徴とする請求項１１に記載のリサイクル可能なキッズ用組立家具である。
【００１７】
第１３の発明は、  第１１、または第１２の発明において、    当該第１乃至第４の固定係止片部折曲げ片部少なくとも一部に於ける自由端端縁部の少なくとも一部に、当該底部面との固定係止効果を増強させる機能を有する切り欠け部が設けられている事を特徴とするリサイクル可能なキッズ用組立家具である。
【００１８】
第１４の発明は、  第１１から第１３のいずれかの発明において、  当該引出具に於いて使用される少なくとも一部の当該引出部に於ける、当該引出具から引き出される方向に面している当該基礎側壁部、当該間挿側壁部及び当該補助壁部の少なくとも一部に、指先引掛部が形成されている事を特徴とするリサイクル可能なキッズ用組立家具である。
【００１９】
第１５の発明は、  第１１から第１４のいずれかの発明において、    当該複数枚の直立壁部材の内で、当該引出部に於ける、当該引出具から引き出される方向に面している当該基礎側壁部、当該間挿側壁部及び当該補助壁部とは反対側に形成されている当該基礎側壁部、当該間挿側壁部及び当該補助壁部の少なくとも一つと対応する側の当該直立壁部材に於いて、当該少なくとも一つの引出部に於ける、少なくとも当該基礎側壁部と対応する部位に、当該基礎側壁部を適宜手段を使用して後押しする為の開口孔部が設けられている事を特徴とするサイクル可能なキッズ用組立家具である。
【００２０】
第１６の発明は、  第１から第６のいずれかの発明において、  当該キッズ用組立家具が引出部付き机具である場合には、当該直立壁部材は少なくとも４枚であり、当該水平棚板部は少なくとも３枚であり、当該直立壁部材の内で３枚の当該直立壁部材は、相互に所定の間隔を介して並行に且つ直立状に配置されて、当該机部と当該引出部とを分離形成しており、当該引出部空間内部に配置されている当該複数枚の水平棚板部の内の少なくとも一部の当該水平棚板部は、当該机部と当該引出部とを分離形成している当該直立壁部材と当接接合する部分に対応する側の端縁部に、当該突起状部とは別の、当該突起状部の延展方向と同一の方向に、且つ、当該机部の長さを超えて、当該机部の反対側の端部に位置する別の当該直立壁部材に迄到達するに十分な長さを持った長尺状延展突出部が形成され、更に、当該長尺状延展突出部の尖端部には、当該ストッパー部が挿入される開口部が設けられている、少なくとも一つの突起状部が連続的に形成されており、一方、当該机部と当該引出部とを分離形成している当該直立壁部材に於ける当該長尺状延展突出部と対応する部位には、当該長尺状延展突出部が貫通通過出来る貫通穴部が設けられており、一方、当該机部の反対側の端部に位置する別の当該直立壁部材には、当該長尺状延展突出部の尖端部に設けられている当該突起状部が嵌入せしめられる嵌入孔部が設けられており、更に、当該机部の下方空間部内には、ダンボール平板で構成された、当該長尺状延展突出部の支持部材が設けられており、当該支持部材は、当該長尺状延展突出部の少なくとも一部と係合する係合部と、当該３枚の直立壁部材群に対し直交状態で配置されている別の当該直立壁部材であって、当該机部空間部に対応する直立壁部材と当接接合する支持固定部とからなり、当該支持固定部に於ける当該直立壁部材と対応する端縁部には、当該ダンボール平板と同一の平面を形成し、当該端縁部を超えて外方に延展され、且つ当該延展されている部分には、ストッパー部が挿入される開口部が設けられている、少なくとも一つの突起状部が形成されており、一方、当該直立壁部材に於ける、当該支持固定部に於ける当該当接合端縁部と対応する部位に、少なくとも一つの当該突起状部を嵌合せしめ得る嵌入孔部が設けられている事を特徴とするリサイクル可能なキッズ用組立家具である。
【００２１】
第１７の発明は、  第１から第６のいずれかの発明において、  当該キッズ用組立家具が引出部付き鏡台（ドレッサー）である場合には、当該直立壁部材は少なくとも３枚であり、当該水平棚板部は少なくとも２枚であり、当該直立壁部材の内で２枚の第１と第２の当該直立壁部材は、相互に所定の間隔を介して並行に且つ直立状に配置されていると共に、残りの当該第３の直立壁部材は、当該所定の間隔を介して並行に且つ直立状に配置されている２枚の当該直立壁部材と相互に直交する様に直立状に立設接合配置されており、且つ、当該第３の直立壁部材は、当該第１と第２の直立壁部材の高さよりも上方に、延展されている、鏡を配置する為延長部が一体的連続的に形成されており、一方、少なくとも２枚の当該水平棚板部の少なくとも一方の第１の水平棚板部は、当該第１乃至第３の直立壁部材により形成されるコの字型空間内部に於いて、その周縁端部が、当該第１及び第２の直立壁部材の上方端部の近傍部において水平状態で、当該第１乃至第３の直立壁部材と接合固定されて、机面部を形成しており、当該他方の第２の水平棚板部は、当該一方の水平棚板部の水平方向と並列に、且つ当該一方の水平棚板部の下方で、当該一方の水平棚板部とは所望の間隔を介して、その周縁端部が、当該第１乃至第３の直立壁部材と接合固定されており、それによって、当該第１と第２の水平棚板部との間に所望の収納空間が形成されており、更に、当該机面部の下方空間部下方部には、当該第１及び第２の直立壁部材との間を張設する様に延展されている、当該水平棚板部の幅よりも細い幅を有する帯状のダンボール平板が当該第１及び第２の直立壁部材とに接合する様に配置せしめられて、足掛部を形成しており、且つ、当該机面部の下方空間部下方部には、ダンボール平板で構成された、当該足掛部の支持部材が設けられており、当該支持部材は、当該長尺状の足掛部の少なくとも一部と係合する係合部と、当該第３の直立壁部材と当接接合する支持固定部とからなり、当該支持固定部に於ける当該直立壁部材と対応する端縁部及び当該足掛部に於ける当該直立壁部材と対応する端縁部には、それぞれ当該ダンボール平板と同一の平面を形成し、当該端縁部を超えて外方に延展され、且つ当該延展されている部分には、ストッパー部が挿入される開口部が設けられている、少なくとも一つの突起状部が形成されており、一方、当該直立壁部材に於ける、当該支持固定部に於ける当該当接合端縁部と対応する部位に、少なくとも一つの当該突起状部を嵌合せしめ得る嵌入孔部が設けられている事を特徴とするリサイクル可能なキッズ用組立家具である。
【００２２】
第１８の発明は、  第１から第１７のいずれかの発明において、  ダンボール平板から形成された当該形状に構成された複数枚の当該直立壁部材と、ダンボール平板から形成された当該形状に構成された複数枚の当該水平棚板部と、ダンボール平板から形成された当該形状に構成された複数枚のストッパー部と、要すれば、ダンボール平板から形成された当該折り畳み可能な引出部用部材、ダンボール平板から形成された補強用部材、ダンボール平板から形成された当該前垂れ部付き座部材部材及びダンボール平板から形成された当該折り畳み可能な支持部材用部材から選択された少なくとも一つの部材とが一組としてキット化されている事を特徴とするリサイクル可能なキッズ用組立家具である。
【００２３】
第１９の発明は、  第１８の発明において、  当該少なくとも一つの部材は、その実質的な形状が、ダンボール平板内に、手動にて容易に当該ダンボール平板から分離出来る様に、適宜のミシン目を介して形成されている事を特徴とするキット化されたリサイクル可能なキッズ用組立家具である。
【００２４】
第２０の発明は、  第１８または第１９の発明において、  当該複数の組み合わされた部材が、所望の箱体内に保管されている事を特徴とするキット化されたリサイクル可能なキッズ用組立家具である。
【００２５】
第２１の発明は、  第２０の発明において、  当該箱体の蓋部材、底部材及び側壁面材の何れかに、当該複数種の部材の一部が適宜のミシン目を介して形成されている事を特徴とするキット化されたリサイクル可能なキッズ用組立家具である。
【００２６】
第２２の発明は、  第２０または第２１の発明において、  当該箱体の蓋部材、底部材及び側壁面材の何れかに、当該複数種の部材とは異なる付録部品の複数個の組み立て部材が適宜のミシン目を介して形成されている事を特徴とするキット化されたサイクル可能なキッズ用組立家具である。
【００２７】
第２３の発明は、  第２０から第２２のいずれかの発明において、当該箱体は、一枚のダンボール平板から切り出した、特定の形状を持った折り畳み式の箱体部であって、所望の長さと幅を持つ矩形状の底部と、当該底部の４個の端縁部からそれぞれ、所望の折り目線を介して、当該各端縁部の長さと同一の幅で且つ、所望の同一の長さを以て外方向に延展されている側壁部と、相互に対向する一対の当該側壁部の内の一方の対に於ける双方の当該側壁部の端縁部から所望の折り目線を介して、当該側壁部の延展方向と直交する方向に延展されているフランジ部が設けられており、且つ相互に対向する一対の当該側壁部の内の他方の対に於ける双方の当該側壁部の内の一方の当該側壁部の端縁部には、適宜の折り目線を介して当該底部と同じ形状に形成された蓋部が連続して形成されており、且つ当該蓋部に於ける当該側壁部の延展方向と直交する方向に形成されている一対の端縁部の双方には、所望の折り目線を介して、当該蓋部の延展方向と直交する方向に、当該側壁部の高さに略近似した長さを以て外方向に延展されている側壁支持片部が設けられており、更に当該蓋部の延展方向に形成されている端縁部の一部に、所望の折り目線を介して、当該蓋部の延展方向に当該側壁部の高さよりも若干短い長さを以て外方向に延展せしめられている差込み係止片部が設けられており、一方、相互に対向する一対の当該側壁部の内の他方の対に於ける双方の当該側壁部の内の他方の当該側壁部の端縁部には、適宜の折り目線を介して、所望の微小な幅を持った矩形状の間挿側壁部が連続的に形成されていると同時に、当該間挿側壁部に於ける、当該側壁部との接合端縁部とは反対側の端縁部には、別の適宜の折り目線を介して、当該間挿側壁部の幅と同一の幅を有し且つ当該側壁部の高さと略同一の長さを以て、当該間挿側壁部の外方向に向けて延展されている側壁支持片部が設けられており、当該間挿側壁部に於ける当該差込み係止片部と対応する部分には、当該差込み係止片部が差し込み嵌入しえる開口スリット部が設けられると同時に、当該間挿側壁部が連結されている当該側壁部の略中央部に所定の間隔を介して設けられている２つの開孔窓部と、当該開口スリット部に近接し、且つ当該開口スリット部に連通している少なくとも１つの切欠け部とが設けられている事を特徴とするリサイクル可能なキッズ用組立家具である。
【発明の効果】
【００２８】
本発明に係るダンボールからなるリサイクル可能なキッズ用組立家具は、上記した様な構成を採用することによって、子供が使用できるダンボール製の家具を提供することができる。なお、このダンボール製のキッズ用組立家具はリサイクル可能である。
【図面の簡単な説明】
【００２９】
【図１】図１は、本発明の机の部品図１である。
【図２】図２は、本発明の机の部品図２である。
【図３】図３は、本発明の机の部品図３である。
【図４】図４は、本発明の机の組み立図１である。
【図５】図５は、本発明の机の組み立図２である。
【図６】図６は、本発明の机の組み立図２である。
【図７】図７は、本発明の椅子の部品図１である。
【図８】図８は、本発明の椅子の部品図２である。
【図９】図９は、本発明の椅子の組み立図である。
【図１０】図１０は、本発明のドレッサーの部品図１である。
【図１１】図１１は、本発明のドレッサーの部品図２である。
【図１２】図１２は、本発明のドレッサーの部品図３である。
【図１３】図１３は、本発明のドレッサーの組み立図１である。
【図１４】図１４は、本発明考案のドレッサーの組み立図２である。
【図１５】図１５は、本発明のレターケースの部品図１である。
【図１６】図１６は、本発明のレターケースの部品図２
【図１７】図１７は、本発明のレターケースの組み立図１である。
【図１８】図１８は、本発明のレターケースの組み立図２である。
【図１９】図１９は、本発明のチェストの部品図１である。
【図２０】図２０は、本発明のチェストの部品図２である。
【図２１】図２１は、本発明のチェストの組み立図１である。
【図２２】図２２は、本発明のチェストの組み立図１である。
【発明を実施するための形態】
【００３０】
以下に本発明に係る当該ダンボールからなるリサイクル可能なキッズ用組立家具の一具体例の構成を、図面を参照しながら詳細に説明する。
【実施例１】
【００３１】
図1から図６は子供用のダンボール製の机に関するものである。図１〜図３は組み立てる部材を示している。これらの部材はダンボール紙より通常の方法で切り取る。キットで提供する場合は、部材は予め切断しておいてもよく、ダンボール紙にミシン目を入れて物を提供して、組み立て時に採取してもよい。なお、キットとして提供する場合には、その容器を部材の一部として使用することも可能である。用いるダンボールは、着色したものであっても良い事は、もちろんである。(以下の実施例においても同様である。)
製作は、たとえば、以下の手順による。図４、図５、図６に組み立て行程を示す。
・  背面板Ｄ１に中央仕切板Ｄ２をはめ込む。
・  中央仕切板Ｄ１に足掛補強版Ｄ３をはめ込む。
・  足掛け板Ｄ４を中央仕切板Ｄ２に差し込む。
・  引き出仕切板大Ｄ５、引き出仕切板小Ｄ６差し込む。
５．天井板Ｄ７を背面板Ｄ１にはめ込む
６．右側面版Ｄ８，左側面版Ｄ９を引き出仕切板大Ｄ５、引き出仕切板小Ｄ６に差し込む。
７．ストッパー大Ｄ１０、ストッパー中１Ｄ１１、ストッパー中２Ｄ１２、ストッパー小Ｄ１３を差し込む
８．引き出し右下Ｄ１４，引き出し右中Ｄ１５，引き出し右上Ｄ１６、引き出し左Ｄ１７を差し込む
【００３２】
図１における引き出仕切板小Ｄ６は、周辺３辺に開口部を持つ突起状部が５個有している。突起状部を他の部材の嵌入孔部に挿入した後、突起状部の開口部にストッパーを挿入して固定する。以下に示す他の図における、開口部を持つ突起状部についても同様である。
箱の組み立ては、図６に示すようにして組み立てる。２重線の部分は３つ山折り、谷折りと示していない部分は山折りである。この製作方法は、以下の他の実施例においても、同様である。また、左側面板Ｄ９の下部は折り曲げて二重にして強度を増すようにしている。
【実施例２】
【００３３】
図７から図９は子供用のダンボール製の椅子に関するものである。図７、図８は組み立てる部材を示している。これらの部材はダンボール紙より通常の方法で切り出す。
製作は例えば、以下の手順による。図９に組み立て行程を示す。
１．耐加重仕切板大Ｃ１、耐加重仕切板中Ｃ２、耐加重仕切板小Ｃ３を図９に示すように組み立てる。
２．側面板（１）Ｃ４に先に組み立てた仕切り板（Ｃ１，Ｃ２，Ｃ３）をはめ込む。
３、背面板Ｃ６を側面板（１）Ｃ４にはめ込む。
４．前面板Ｃ７を側面板（１）Ｃ４にはめ込む。
５．上面カバーＣ８を側面板（１）Ｃ４にはめ込む。
６．別の側面版（側面板（２）Ｃ５）をはめ込む。
７．ストッパー大Ｃ９、ストッパー小Ｃ１０を差し込み固定する。
【００３４】
図９に示すように、ストッパー大Ｃ９の４本は、側面板（１）Ｃ４、側面板（２）Ｃ５と、耐加重仕切板中Ｃ２、背面板Ｃ６、前面板Ｃ７、上面カバーＣ８を固定すつものであり、ストッパー小Ｃ１０は、側面板１Ｃ４、側面板２Ｃ５と、上面カバーＣ８を固定するものである。
なお、この例のように左右が対照（机以外のすべて）の家具の場合は、、側面板（１）Ｃ４，側面板（２）Ｃ５はどちらを先にして組み立てても良い。図においては、側面版（１）Ｃ４を先に組み立てているが、側面版（２）Ｃ５を先にして組み立ててもよい。
【実施例３】
【００３５】
図1０から図１４は子供用のダンボール製のドレッサーに関するものである。図１０〜図１２は組み立てる部材を示している。これらの部材はダンボール紙より通常の方法で切り出す。
製作は例えば、以下の手順が好ましい。図４〜図６に組み立て行程を示す。
１．背面板Ｒ１に側面版（１）Ｒ３をはめ込む。
２．足掛補強版Ｒ２を折り曲げて背面板Ｒ１にはめ込む。
３．足掛け板Ｒ５を側面版（１）Ｒ３をはめ込む。
４．棚板（１）Ｒ２，棚板（２）Ｒ２を背面板Ｒ１にはめ込む。
５．側面版（２）Ｒ４を背面板Ｒ１、足掛け板Ｒ４、棚板（１）Ｒ２，棚板（２）Ｒ２をはめ込む。
６．ストッパー大Ｒ８，ストッパー中Ｒ９，ストッパー小Ｒ１０で固定する。
７．鏡Ｒ１１を取り付ける。
８．引き出１２を組み立てセット入する。
なお、側面板は、側面版（１）Ｒ３、側面版（２）Ｒ４の順序を変えても良い。
【実施例４】
【００３６】
図1５から図１８はダンボール製のレターケースに関するものである。図１５、図６は組み立てる部材を示している。これらの部材はダンボール紙より通常の方法で採取する。製作の手順例を以下に示す。図１７、図１８に組み立て行程を示す。
１．背面版L1を側面板の片方のみ、たとえば側面版（１）Ｌ２をはめ込む
２．棚板L4（複数ある。この例では４枚）を下段より順次背面板L1と側面板（１）L2をはめ込む
３．他方の側面板（２）L3に各棚板L4を合わせながらはめ込み、また、背面版L1にもはめ込む。
４．はめ込みが終わったら、ストッパー大L5、ストッパー小L６で止める。
５．引き出大L7、引き出小L８を組み立てて、棚に入れる。
【００３７】
なお、図１５には、棚L４は2枚のみを示しているが、本実施例の場合は4枚より、4個を制作する。また、図１６の引き出小L８は4個である。
図１８において、ストッパー大L5、6本は棚板L4の突起状部の開口部に挿入するものである。（背面板L1の後ろ側にもある。）ストッパー小L６は図示していないが、側板L2の突起状部の開口部に挿入するものである。
図１８に引き出大L7（引き出小L８も共通）の組み立て状態を示した。側面部のは頂部（箱の上の部分）は二山山おり、底にあたる部分は谷折りである。
【実施例５】
【００３８】
図1９から図２２はダンボール製のチェストに関するものである。図１９、図２０は組み立てる部材を示している。これらの部材はダンボール紙より通常の方法で採取する。製作は例えば、以下の手順がある。図２１、図２２に組み立て行程を示す。
１．背面版H1を側面板の一方のみ、たとえば側面板（１）H2の方のみをはめ込む
２．ボード（イ）H4、ボード（ロ）H５を背面板H1と側面板８１）H2をはめ込む
３．他方の側面板（２）H3にボード（イ）H4、ボード（ロ）H５を合わせながらはめ込み、また、背面版H1にもはめ込む。
４．はめ込みが終わったら、ストッパー大H6、および、ストッパー小H７で止める。
５．引き出L８を組み立てて、棚に入れる。
【００３９】
なお、図１５には、棚L４は2枚のみを示しているが、本実施例の場合は4枚より、4個を制作する。また、図１６の引き出小L８は4個である。
図２１において、ストッパー大H６の6本はボード（イ）H4、ボード（ロ）H５を背面板H1と側面板H2をはめ込むはボード（イ）H4、ボード（ロ）H５の突起状部の開口部に挿入するものである。（背面板H1の後ろ側にもある。）ストッパー小H7は図示していないが、側面板H2の突起状部の開口部に挿入するものである。
【００４０】
棚は、ボード（イ）Ｈ４、ボード（ロ）Ｈ５、ボード（イ）Ｈ４の3枚を一組として用いる。また、図１９における背面板Ｈ１の穴（破線で囲んだ部分は開口部は2重（2個）である。側面板（１）Ｈ２，側面板（２）Ｈ３における穴（破線で囲んだ部分は開口部は2重（2個）も同様である。引き出Ｈ8の側面の長円は穴である。
【００４１】
なお、本発明考案に係る当該ダンボールからなるリサイクル可能なキッズ用組立家具を構成する各部材を構成する素材は、特に限定されるものではない。例えば、プラスチック素材においても、リサイクル性は劣るが、本考案が実施できる。
【産業上の利用可能性】
【００４２】
本発明は、ダンボール産業に新たな市場を提供するものである。
【符号の説明】
【００４３】
ＤＩ    背面板
Ｄ２    中央仕切板
Ｄ３    足掛補強版
Ｄ４    足掛け板
Ｄ５    引き出仕切板大
Ｄ６    引き出仕切板小
Ｄ７    天井板
Ｄ８    右側面版
Ｄ９    左側面版
Ｄ１０  ストッパー大
Ｄ１１  ストッパー中（１）
Ｄ１２  ストッパー中（２）
Ｄ１３  ストッパー小
Ｄ１４  引き出し右下
Ｄ１５  引き出し右中
Ｄ１６  引き出し右上
Ｄ１７  引き出し左
Ｃ１    耐加重仕切板大
Ｃ２    耐加重仕切板中
Ｃ３    耐加重仕切板小
Ｃ４    側面板（１）
Ｃ５    側面板（２）
Ｃ６    背面板
Ｃ７    前面板
Ｃ８    上面カバー
Ｃ９    ストッパー大
Ｃ１０  ストッパー小
Ｒ１    背面板
Ｒ２    足掛補強版
Ｒ３    側面版（１）
Ｒ４    側面版（２）
Ｒ５    足掛け板
Ｒ６    棚板（１）
Ｒ７    棚板（２）
Ｒ８    ストッパー大
Ｒ９    ストッパー中
Ｒ１０  ストッパー小
Ｒ１１  鏡
Ｌ１    背面板
Ｌ２    側面板（１）
Ｌ３    側面板（２）
Ｌ４    棚板
Ｌ５    ストッパー大
Ｌ６    ストッパー小
Ｌ７    引き出大
Ｌ８    引き出小
Ｈ１    背面板
Ｈ２    側面板（１）
Ｈ３    側面板（２）
Ｈ４    ボード（イ）
Ｈ５    ボード（ロ）
Ｈ６    ストッパー大
Ｈ７    ストッパー小
Ｈ８    引き出
【図１】
2018198887.tif 000003
【図２】
2018198887.tif 000004
【図３】
2018198887.tif 000005
【図４】
2018198887.tif 000006
【図５】
2018198887.tif 000007
【図６】
2018198887.tif 000008
【図７】
2018198887.tif 000009
【図８】
2018198887.tif 000010
【図９】
2018198887.tif 000011
【図１０】
2018198887.tif 000012
【図１１】
2018198887.tif 000013
【図１２】
2018198887.tif 000014
【図１３】
2018198887.tif 000015
【図１４】
2018198887.tif 000016
【図１５】
2018198887.tif 000017
【図１６】
2018198887.tif 000018
【図１７】
2018198887.tif 000019
【図１８】
2018198887.tif 000020
【図１９】
2018198887.tif 000021
【図２０】
2018198887.tif 000022
【図２１】
2018198887.tif 000023
【図２２】
2018198887.tif 000024